(57)【要約】【課題】本考案は、用紙に印刷し擬似接着剤を塗布し、用紙を重ね合わせて隠蔽するか、隠蔽シールを貼りあせることにより隠蔽し隠蔽葉書等を作成するに際して、用紙の重ね合わせが剥離したり、隠蔽シールが剥離したりする事故を防止することを目的とする。【解決する手段】（１）  用紙に擬似接着剤を塗布し、有機高分子フィルム、金属箔ラミネートフィルム、金属蒸着フィルムからなる袋に入れ、封をしてある包装状態にある隠蔽葉書等用紙パッケージにおいて、袋の中に脱酸素剤が存在することを特徴とする、（２）  用紙に擬似接着剤を塗布し、有機高分子フィルム、金属箔ラミネートフィルム、金属蒸着フィルムからなる袋に入れさらに脱酸素剤を入れ、封をしてある包装状態にある隠蔽葉書等用紙パッケージにおいて、用紙とフィルムとの境界に緩衝材が存在することを特徴とする、（３）  （２）の隠蔽葉書等用紙パッケージにおいて、緩衝材がゴムシート、ウレタンスポンジ、紙であることを特徴とする。【選択図】図７  
0003112070.tif 000002
【実用新案登録請求の範囲】
【請求項１】
用紙に擬似接着剤を塗布し、有機高分子フィルム、金属箔ラミネートフィルム、金属蒸着フィルムからなる袋に入れ、封をしてある包装状態にある隠蔽葉書等用紙パッケージにおいて、袋の中に脱酸素剤が存在することを特徴とする隠蔽葉書等用紙パッケージ。
【請求項２】
用紙に擬似接着剤を塗布し、有機高分子フィルム、金属箔ラミネートフィルム、金属蒸着フィルムからなる袋に入れさらに脱酸素剤を入れ、封をしてある包装状態にある隠蔽葉書等用紙パッケージにおいて、用紙とフィルムとの境界に緩衝材が存在することを特徴とする隠蔽葉書等用紙パッケージ。
【請求項３】
請求項２の隠蔽葉書等用紙パッケージにおいて、
緩衝材がゴムシートであることを特徴とする隠蔽葉書等用紙パッケージ。
【請求項４】
請求項２の隠蔽葉書等用紙パッケージにおいて、
緩衝材がウレタンスポンジであることを特徴とする隠蔽葉書等用紙パッケージ。
【請求項５】
請求項２の隠蔽葉書等用紙パッケージにおいて、
緩衝材が紙であることを特徴とする隠蔽葉書等用紙パッケージ。
【請求項６】
請求項２の隠蔽葉書等用紙パッケージにおいて、
緩衝材が独立気泡ポリエチレンであることを特徴とする隠蔽葉書等用紙パッケージ。
【考案の詳細な説明】
【技術分野】
【０００１】
本考案は、隠蔽葉書等に使用する用紙の包みである隠蔽葉書等用紙パッケージに関するものである。
【背景技術】
【０００２】
従来、試験の合否通知、戸籍謄本など、他人に知られたくない通知は、封書や、親展にした封書などで送付されたり、不合格の場合、「桜散る」など受取人を傷つけない配慮をしたりして送付されていた。
【０００３】
そして、最近の接着技術の進歩にともない、送付の過程では封をされているが、受取人は簡単に封を開け、内容をみることができる擬似接着技術が開発された。この方法の利点は従来の葉書の大きさに重ね合わせ、擬似接着すると、従来の葉書の料金で配達され、擬似接着を剥すと、葉書の２〜３倍の情報を内密に送付できる利点があり、隠蔽葉書等として広く普及している。
【０００４】
しかし、この方法の欠点は、何らかの事故により、擬似接着が弱く、書類送付の過程で剥がれる事故が稀に発生することである。
このような事故が起こると、損害賠償の原因になるため、剥離事故防止は重要な課題である。
【０００５】
従来隠蔽葉書等の保存に関連する技術として、葉書用シートのラベル用シートで隠蔽される領域の全面或いは一部分に、べた状或いは地紋状に印刷したインク層を設けることにより擬似接着の剥離安定性が著しく増すとの技術開示がある（特許文献１）。
【０００６】
【特許文献１】特開平５−２０１１７７号公報
【０００７】
運搬中における擬似接着の剥離のような事故が何故起こるか本考案者は鋭意研究したところ、季節変動があること、印刷、接着などの作業をする日の天候などにより影響を受けることを知見し、本考案に到達したのである。
【考案の開示】
【考案が解決しようとする課題】
【０００８】
すなわち、本考案は、
用紙に印刷し擬似接着剤を塗布し、用紙を重ね合わせて隠蔽するか、隠蔽シールを擬似接着することにより隠蔽し隠蔽葉書等を作成するに際して、用紙の重ね合わせが剥離したり、隠蔽シールが剥離したりする事故を防止することを目的とする。
【課題を解決するための手段】
【０００９】
本考案は、
（１）  用紙に擬似接着剤を塗布し、有機高分子フィルム、金属箔ラミネートフィルム、金属蒸着フィルムからなる袋に入れ、封をして包装状態にある隠蔽葉書等用紙パッケージにおいて、袋の中に脱酸素剤が存在することを特徴とする、
（２）  用紙に擬似接着剤を塗布し、有機高分子フィルム、金属箔ラミネートフィルム、金属蒸着フィルムからなる袋に入れさらに脱酸素剤を入れ、封をしてある包装状態にある隠蔽葉書等用紙パッケージにおいて、用紙とフィルムとの境界に緩衝材が存在することを特徴とする、
（３）  （２）の隠蔽葉書等用紙パッケージにおいて、
緩衝材がゴムシートであることを特徴とする、
（４）  （２）の隠蔽葉書等用紙パッケージにおいて、
緩衝材がウレタンスポンジであることを特徴とする、
（５）  （２）の隠蔽葉書等用紙パッケージにおいて、
緩衝材が紙であることを特徴とする、
（６）  （２）の隠蔽葉書等用紙パッケージにおいて、
緩衝材が独立気泡ポリエチレンであることを特徴とする。
【００１０】
擬似接着とは、通常の配達過程では剥離しないが、受取人が内容をみようとしたとき極く弱い力で剥離することが可能な程度に接着している状態をいう。
【００１１】
擬似接着の好ましい方法は、基材の表面に擬似接着剤を含有する擬似接着剤層を形成させ、含有する擬似接着剤に基づく表面における粘着力（タッキング）により、擬似接着を起こさせるのである。
【００１２】
ここに使用する擬似接着のための擬似接着剤としては、軟化点が摂氏１００度以下の生ゴム、未加硫の合成ゴム、ポリアクリル酸エステル、ポリブテン、酢酸ビニル等をあげることができる。
【００１３】
また別の擬似接着剤としては、エチレン酢酸ビニル共重合物、エチレンアクリル酸エステル共重合物、ポリビニルブチラール、ポリアクリル酸エステル系重合体、ポリメタクリル酸エステル系重合体をあげることができる。
【００１４】
なお、擬似接着剤層にシリカゲル、タルク、アルミナ、カオリンなどの充填剤を配合することもできる。
【００１５】
基材として用いる紙としては、
非塗工の用紙として、各種印刷用紙やグラビア用紙などがあげられる。また塗工した用紙として、アート紙、コート紙があげられる。また再生紙、合成紙、金属蒸着紙などをあげることができる。、
【００１６】
紙に擬似接着剤が塗布された状態で出荷されると、擬似接着剤が徐々に酸化されて擬似接着性が減じ遂には擬似接着が不能になる。これを防止するには酸素を遮断した状態で保存する必要がある。具体的には、有機高分子フィルム、金属蒸着フィルム、金属箔ラミネートフィルムからなる袋にいれ脱酸素剤を入れた状態で保存するのである。
【００１７】
保存に使用するフィルムとして、
ポリエチレンテレフタレート、ナイロン、ポリプロピレンなどのフィルムや、ポリプロピレンにポリ塩化ビニリデンを塗布した複合フィルムをあげることができる。
保存に使用する金属を蒸着したフィルムとしては、ポリエチレンテレフタレート、ナイロンなどにアルミニューム、スズなどを蒸着したフィルムをあげることができる。金属箔ラミネートフィルムとしては、アルミニューム箔、スズ箔をラミネートしたポリエチレンテレフタレート、ナイロンなどをあげることができる。
【００１８】
脱酸素・脱湿気材としては、例えば三菱ガス化学工業株式会社から市販されるているＲＰ剤をあげることができる。
【００１９】
フィルムの封をする方法としては、
熱シール、超音波を利用したシールなどで行うことができる。
【００２０】
擬似接着のための擬似接着剤の塗布方法としては、擬似接着剤の溶液又はエマルジョンを塗布することで行うことができる。
またタッキング性のある擬似接着剤を含有する接着剤層の形成方法としては、擬似接着剤を含む溶液乃至エマルジョンを塗布することで行うことができる。
【００２１】
本考案のパッケージを作成するには、先ず用紙に擬似接着剤を塗布し、擬似接着性のある用紙を作成する。次に有機高分子フィルム、金属箔ラミネートフィルム、金属蒸着フィルムからなる袋に入れ、さらに袋の中に脱酸素剤を入れ、袋を減圧にして、封をすることにより、酸素・湿気を遮断した状態で擬似接着性のある用紙を保存することが可能となる。
【００２２】
前記の例において、減圧をするに際して、強く減圧をすると、用紙同士が擬似接着を起こすおそれがある。これを避ける方法として、
まず、用紙に擬似接着剤を塗布し、擬似接着性のある用紙を作成する。次に緩衝材で用紙を包み、有機高分子フィルム、金属箔ラミネートフィルム、金属蒸着フィルムからなる袋に入れ、さらに袋の中に脱酸素剤を入れ、袋を減圧にして、封をすることにより、酸素・湿気を遮断した状態で擬似接着性のある用紙を保存することが可能となる。
【考案を実施するための最良の形態】
【００２３】
図１は、三つ折隠蔽葉書に使用する隠蔽葉書等用紙１０の正面図である。図２は、三つ折隠蔽葉書に使用する隠蔽葉書等用紙１０の裏面図である。なお、隠蔽葉書等用紙の中間面の表４及び中間面の裏５にメタクリル酸エステル・パラフィン・タルク系薬剤が塗布されている。ここで、正面図とは、用紙の段階で、葉書の表面と同じ面にくる面をいう。隠蔽葉書用紙１０は、端で折曲げられ、別の隠蔽葉書用紙１０と折曲げ線１２で連結している。また、隠蔽葉書用紙１０の中央に切離し線１１があり、一枚の隠蔽葉書用紙１０あたり２枚の隠蔽葉書を作成することが可能である。葉書作成に際しては、隠蔽葉書表面の表１に宛名などを印刷し、隠蔽葉書中間面の表４や、隠蔽葉書中間面の裏５などに通知内容などを印刷し、隠蔽葉書用紙１０の中央にある切離し線で切離し、図３のように折曲げ、表面の裏６と中間面の裏５、中間面の表４と裏面の裏３を擬似接着し隠蔽葉書とするのである。
【００２４】
図６は、隠蔽葉書用紙パッケージの断面図を示す。隠蔽葉書用紙１０は、独立気泡を有するポリエチレンからなる緩衝材１３で包まれ脱酸素剤９と共に、包装フィルム７で包み、シール部８でシールする。
図７は、隠蔽葉書用紙パッケージの表面図である。シール部８は、隙間無く形成されている。図６、図７で示した方法でシールし保存した場合は、６ヶ月以上の保存が可能であった。しかし比較のため、脱酸素剤を使用しない場合は１ヶ月で擬似接着が困難となり、
独立気泡を有するポリエチレンからなる緩衝材で包まない場合も同様に３ヶ月で隠蔽葉書等用紙の相互の接着が始まりあまり好ましくなかった。
【００２５】
以上の説明で明らかなように、本考案の隠蔽葉書用紙等パッケージは以下のような効果がある。
（ａ）本考案の隠蔽葉書等のパッケージは、酸素・湿気から遮断した状態で保存されているため、擬似接着剤などが酸化して変質することがなく、長期間の保存が可能となる。
（ｂ）長期保存が可能であるため、用紙の在庫管理が容易になり、用紙の生産管理が容易になる。
（ｃ）隠蔽葉書等の長期保存が可能となる結果、隠蔽葉書等の用紙を使用した郵便物の普及が促進され、省力化が図ることが可能となり産業の発展に資することができる。
【図面の簡単な説明】
【００２６】
【図１】隠蔽葉書等用紙の正面図である。
【図２】隠蔽葉書等用紙の裏面図である。
【図３】隠蔽葉書用紙の折り畳み状況を示す断面図である。
【図４】隠蔽葉書の表面図である。
【図５】隠蔽葉書の裏面図である。
【図６】隠蔽葉書等用紙パッケージの断面図である。
【図７】隠蔽葉書等用紙パッケージの正面図である。
【符号の説明】
【００２７】
１    表面の表
２    裏面の裏
３    裏面の表
４    中間面の表
５    中間面の裏
６    表面の裏
７    包装フィルム
８    シール部
９    脱酸素剤
１０  隠蔽葉書等用紙
１１  切離し線
１２  折曲げ線
１３  緩衝材
【図１】
0003112070.tif 000003
【図２】
0003112070.tif 000004
【図３】
0003112070.tif 000005
【図４】
0003112070.tif 000006
【図５】
0003112070.tif 000007
【図６】
0003112070.tif 000008
【図７】
0003112070.tif 000009